【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
容器開口部用の壊れやすい王冠であって、
王冠本体であって、
上部、
前記上部から下がりかつ底部環状縁で終端する環状側壁を有する環状スカート部、
壊れやすいスコアリング配置構成であって、
前記スカート部の上部から底部縁まで第１の連続的なラジアル方向に延在する曲線状の第１の刻み線、および
曲線状の第２の刻み線であって、
前記スカート部の上部から環状側壁まで前記第１の連続的なラジアル方向に延在する上部放射状セグメント、および
前記上部放射状セグメントから、前記スカート部の底部環状縁から実質的に離間した端点まで、前記スカート部の環状側壁に沿って円周方向に延在する下部環状セグメント、を含む、曲線状の第２の刻み線
を含む、壊れやすいスコアリング配置構成
を含む、王冠本体と、
前記上部の取付部分に取り付けられかつ前記第１および第２の刻み線の１つ以上において前記上部を壊すように構成されたオープナアセンブリであって、非金属製リングプルと、前記非金属製リングプルに接続された非金属製プルタブとを含む、オープナアセンブリと、
前記非金属製プルタブを前記取付部分に結合する取付装置であって、前記取付装置の底部係合面から前記非金属製プルタブに向かって突出する係合特徴を含み、それにより、前記係合特徴は、前記取付部分に前記オープナアセンブリを取り付けるための前記非金属製プルタブへの前記取付装置の係合を強める、取付装置と、
を含む、壊れやすい王冠。
【請求項２】
前記取付装置は、前記王冠本体またはオープナアセンブリと非一体的であるリベットであり、前記非一体的なリベットは、該リベットの少なくとも１つの底部係合面に位置決めされた前記係合特徴を含み、それにより、前記係合特徴は、前記オープナアセンブリを前記取付部分に取り付けるために前記リベットが圧縮されるときに、前記係合面の底面から突出して、前記オープナアセンブリのプルタブを係合させるために使用される摩擦力を増大させる、請求項１に記載の壊れやすい王冠。
【請求項３】
前記取付装置は、前記王冠本体の取付部分と一体的に形成されたリベットであり、前記一体的なリベットは、該リベットの細長い側壁の少なくとも一部分に沿って位置決めされた前記係合特徴を含み、それにより、前記係合特徴は、前記オープナアセンブリを前記取付部分に取り付けるために前記リベットが圧縮されるときに、前記非金属製プルタブに向かって突出して、前記オープナアセンブリのプルタブを係合させるために使用される摩擦力を増大させる、請求項１に記載の壊れやすい王冠。
【請求項４】
前記リベットは、前記非金属製プルタブと一体的に形成された非金属製リベットであり、前記王冠本体の取付部分は、前記オープナアセンブリを前記取付部分に取り付けるために前記非金属製リベットが使用されるときに、該非金属製リベットを受け入れるように構成された孔を含む、請求項１に記載の壊れやすい王冠。
【請求項５】
前記取付部分は、前記上部の直径に対して偏心している、請求項１に記載の壊れやすい王冠。
【請求項６】
凹状部分であって、前記上部において下方に形成されかつ前記オープナアセンブリの少なくとも一部分を前記凹状部分に収容するように構成された凹状部分をさらに含む、請求項１に記載の壊れやすい王冠。
【請求項７】
前記王冠本体は、前記上部に対向する裏面側をさらに含み、前記壊れやすいスコアリング配置構成の刻み線の１つ以上は、前記王冠本体の裏面側に形成されている、請求項１に記載の壊れやすい王冠。
【請求項８】
前記壊れやすいスコアリング配置構成は、前記取付部分の周りに延在しかつ前記第１および第２の刻み線の開始端をつなぐアーチ形の第３の刻み線をさらに含む、請求項１に記載の壊れやすい王冠。
【請求項９】
前記壊れやすいスコアリング配置構成は、前記アーチ形の第３の刻み線から、前記第１のラジアル方向に対して略反対方向の第２の連続的なラジアル方向に放射状に延在する線形の第４の刻み目をさらに含む、請求項８に記載の壊れやすい王冠。
【請求項１０】
前記非金属製プルタブは、前記非金属製プルタブを前記取付部分に結合する前記取付装置と一緒に使用するための金属製グロメットを含む、請求項１に記載の壊れやすい王冠。
【請求項１１】
容器開口部用の壊れやすい王冠であって、
王冠本体であって、
上部、
前記上部から下がりかつ底部環状縁で終端する環状側壁を有する環状スカート部、
壊れやすいスコアリング配置構成であって、
前記スカート部の上部から底部縁まで第１の連続的なラジアル方向に延在する曲線状の第１の刻み線、および
曲線状の第２の刻み線であって、
前記スカート部の上部から環状側壁まで前記第１の連続的なラジアル方向に延在する上部放射状セグメント、および
前記上部放射状セグメントから、前記スカート部の底部環状縁から実質的に離間した端点まで、前記スカート部の環状側壁に沿って円周方向に延在する下部環状セグメント、を含む、曲線状の第２の刻み線
を含む、壊れやすいスコアリング配置構成
を含む、王冠本体と、
前記上部の取付部分に取り付けられかつ前記第１および第２の刻み線の１つ以上において前記上部を壊すように構成されたオープナアセンブリであって、非金属製リングプルおよび金属製プルタブを含み、前記金属製プルタブの端部は、前記非金属製リングプル内に延在する係合特徴を使用して該非金属製リングプルの一部内に固定される、オープナアセンブリと、
前記金属製プルタブを前記取付部分に結合する取付装置と、
を含む、壊れやすい王冠。
【請求項１２】
前記金属製プルタブ上の前記係合特徴は、
前記非金属製リングプル内に前記金属製プルタブの端部を固定するための、該端部の上面および下面のそれぞれの上における１つ以上の垂直方向に延在するかかり、
前記非金属製リングプル内に前記金属製プルタブの端部を固定するための、該端部の上面および下面のそれぞれの上における１つ以上の水平方向に延在するかかり、および
前記非金属製リングプル内に前記金属製プルタブの端部を固定するための、該端部の上面および下面のそれぞれの上における１つ以上の垂直方向に延在する段、
からなる群から選択される、請求項１１に記載の壊れやすい王冠。
【請求項１３】
前記取付装置は、前記王冠本体の取付部分と一体的に形成されたリベットであり、前記一体的なリベットは、前記オープナアセンブリを前記取付部分に取り付けるために該リベットが圧縮されるときに、前記オープナアセンブリの金属製プルタブを係合させることを含む、請求項１１に記載の壊れやすい王冠。
【請求項１４】
前記取付部分は、前記上部の直径に対して偏心している、請求項１１に記載の壊れやすい王冠。
【請求項１５】
前記壊れやすいスコアリング配置構成は、前記取付部分の周りに延在しかつ前記第１および第２の刻み線の開始端をつなぐアーチ形の第３の刻み線をさらに含む、請求項１１に記載の壊れやすい王冠。
【請求項１６】
前記壊れやすいスコアリング配置構成は、前記アーチ形の第３の刻み線から、前記第１のラジアル方向に対して略反対方向の第２の連続的なラジアル方向に放射状に延在する線形の第４の刻み目をさらに含む、請求項１５に記載の壊れやすい王冠。
【請求項１７】
容器開口部用の壊れやすい王冠であって、
上部と、
前記上部から下がりかつ底部環状縁で終端する環状側壁を有する環状スカート部と、
非金属製リングプルと、金属製プルタブであって、前記金属製プルタブに形成された係合特徴を使用して前記非金属製リングプルに接続された金属製プルタブと、を含むオープナアセンブリであって、前記金属製プルタブは、前記環状側壁の取付部分と一体的に形成されている、オープナアセンブリと、
凹状部分であって、前記上部内に形成されかつ前記非金属製リングプルを前記凹状部分に収容するように構成された凹状部分と、
壊れやすいスコアリング配置構成であって、
前記凹状部分から前記環状側壁に沿って前記スカート部の底部縁まで、第１の連続的なラジアル方向に延在する曲線状の第１の刻み線、および
曲線状の第２の刻み線であって、
前記環状側壁から前記スカート部の中間部分まで、前記第１の連続的なラジアル方向に延在する上部放射状セグメント、および
前記上部放射状セグメントから、前記スカート部の底部環状縁から実質的に離間した端点まで、前記スカート部の中間部分に沿って円周方向に延在する下部環状セグメント、を含む、曲線状の第２の刻み線、
を含む、壊れやすいスコアリング配置構成と、
を含む、壊れやすい王冠。
【請求項１８】
前記上部から上向きに形成されかつ前記オープナアセンブリの非金属製リングプル内に収容されるように構成された隆起をさらに含む、請求項１７に記載の壊れやすい王冠。
【請求項１９】
前記隆起は、円形でありかつ前記凹状部分内に同心で形成されている、請求項１８に記載の壊れやすい王冠。
【請求項２０】
前記隆起の頂面は、前記王冠の上部と略同じ高さである、請求項１８に記載の壊れやすい王冠。
【請求項２１】
前記金属製プルタブ上の係合特徴は、
前記非金属製リングプル内に前記金属製プルタブの端部を固定するための、該端部の上面および下面のそれぞれの上における１つ以上の垂直方向に延在するかかり、
前記非金属製リングプル内に前記金属製プルタブの端部を固定するための、該端部の上面および下面のそれぞれの上における１つ以上の水平方向に延在するかかり、
前記非金属製リングプル内に前記金属製プルタブの端部を固定するための、該端部の上面および下面のそれぞれの上における１つ以上の垂直方向に延在する段、および
前記金属製プルタブの端部を貫通して形成され、かつ前記非金属製リングプルの収容領域から対応する１つ以上のリベットを収容して、前記非金属製リングプルの収容領域に前記金属製プルタブの端部を固定するように構成された１つ以上の孔、
からなる群から選択される、請求項１７に記載の壊れやすい王冠。
【請求項２２】
前記王冠本体は、前記上部に対向する裏面側をさらに含み、前記壊れやすいスコアリング配置構成の刻み線の１つ以上は、前記王冠本体の裏面側に形成されている、請求項１７に記載の壊れやすい王冠。
【手続補正２】
【補正対象書類名】明細書
【補正対象項目名】発明の名称
【補正方法】変更
【補正の内容】
【発明の名称】容器開口部用の壊れやすい王冠